(57)【要約】【課題】複数の装置のいずれを使用してもコンテンツを検索でき、ユーザが収録されているコンテンツを迅速に探し出せるようにする。【解決手段】情報再生装置２００は、記録媒体に固有の媒体識別コードと、記録媒体に収録されているコンテンツを識別可能なコンテンツコードとを関連付けたコンテンツテーブルを表示するためのコンテンツ表示データを生成する。また、情報再生装置２００は、媒体識別コードおよびコンテンツコードに関する送信要求を示す送信要求データを通信手段が外部に送信するように制御し、通信手段により送信された送信要求データに対応して、通信手段が受信した受信データに基づいて、コンテンツ表示データが生成されるように制御する。【選択図】図１
2007265556.tif 000002
【特許請求の範囲】
【請求項１】
記録媒体に記録されているデータを読み取る読取手段と、データの送受信を行う通信手段とを備えた情報再生装置であって、
前記記録媒体に固有の媒体識別コードと、前記記録媒体に収録されているコンテンツを識別可能なコンテンツコードとを関連付けたコンテンツテーブルを表示するためのコンテンツ表示データを生成する表示データ生成手段と、
前記媒体識別コードおよび前記コンテンツコードに関する送信要求を示す送信要求データを前記通信手段が外部に送信するように制御する送信要求データ送信制御手段と、
前記通信手段により送信された前記送信要求データに対応して、前記通信手段が受信した受信データに基づいて、前記コンテンツ表示データが生成されるように制御する表示データ生成制御手段とを有することを特徴とする情報再生装置。
【請求項２】
前記読取手段によって読み取られた前記媒体識別コードと前記コンテンツコードとが関連付けて記憶され、かつ前記通信手段によって受信した前記媒体識別コードと前記コンテンツコードとが関連付けて記憶されるようにして、前記コンテンツテーブルを更新するコンテンツテーブル更新手段を更に有し、
前記表示データ生成制御手段は、前記コンテンツテーブル更新手段により更新された前記コンテンツテーブルに基づいて、前記表示データ生成手段が前記コンテンツ表示データを生成するように制御することを特徴とする請求項１記載の情報再生装置。
【請求項３】
前記コンテンツテーブルを更新するための更新データの送信要求を示す前記送信要求データを前記通信手段が外部に送信し、かつ前記更新データを前記通信手段が受信したときに、前記コンテンツテーブル更新手段が前記コンテンツテーブルを更新するように制御する更新制御手段を更に有することを特徴とする請求項２記載の情報再生装置。
【請求項４】
前記通信手段によって、前記コンテンツテーブルを更新するための更新データの送信要求を示す前記送信要求データを外部から受信したときに、該受信した前記送信要求データに対応する前記更新データを生成する更新データ生成手段と、
該更新データ生成手段によって生成された前記更新データを前記通信手段が外部に送信するように制御する更新データ送信制御手段を更に有することを特徴とする請求項２または３記載の情報再生装置。
【請求項５】
前記コンテンツテーブルが記憶されるコンテンツテーブル記憶手段と、
前記情報再生装置に固有の装置識別コードが記憶される装置識別コード記憶手段とを更に有し、
前記更新データ送信制御手段は、前記装置識別コード記憶手段に別の前記情報再生装置を示す前記装置識別コードが記憶されているときに、該別の前記情報再生装置宛に前記更新データが送信されるように制御することを特徴とする請求項４記載の情報再生装置。
【請求項６】
前記記録媒体にデータを記録する記録手段と、
前記更新データ生成手段は、前記記録手段によって、前記記録媒体にコンテンツを収録させる記録動作が行われたときは、該記録動作が行われた前記記録媒体に固有の媒体識別コードと該収録された前記コンテンツを識別可能なコンテンツコードとを用いて、前記更新データを生成することを特徴とする請求項４または５記載の情報再生装置。
【請求項７】
前記コンテンツテーブル更新手段による前記コンテンツテーブルの更新中であるか否かを判定する判定手段を更に有し、
前記更新制御手段は、前記判定手段によって、前記コンテンツテーブルの更新中であると判定されたときに、前記送信要求データを前記通信手段が外部に送信するように制御することを特徴とする請求項２〜６のいずれか一項記載の情報再生装置。
【請求項８】
記録媒体に記録されているデータを読み取る読取手段と、データの送受信を行う通信手段とを備えた情報再生装置を用いた情報提示方法であって、
前記情報再生装置によって、前記記録媒体に固有の媒体識別コードと、前記記録媒体に収録されているコンテンツを識別可能なコンテンツコードとを関連付けたコンテンツテーブルを表示するためのコンテンツ表示データを生成し、
前記媒体識別コードおよび前記コンテンツコードに関する送信要求を示す送信要求データを前記通信手段が外部に送信するように制御し、
前記通信手段により送信された前記送信要求データに対応して、前記通信手段が受信した受信データに基づいて、前記コンテンツ表示データが生成されるように制御することを特徴とする情報提示方法。
【請求項９】
前記読取手段によって読み取られた前記媒体識別コードと前記コンテンツコードとが関連付けて記憶され、かつ前記通信手段によって受信した前記媒体識別コードと前記コンテンツコードとが関連付けて記憶されるようにして、前記コンテンツテーブルを更新し、
前記更新された前記コンテンツテーブルに基づいて、前記表示データ生成手段が前記コンテンツ表示データを生成するように制御することを特徴とする請求項８記載の情報提示方法。
【請求項１０】
記録媒体に記録されているデータを読み取る読取手段と、データの送受信を行う通信手段とを備えた第１、第２の情報再生装置を有する情報提示システムであって、
前記記録媒体に固有の媒体識別コードと、前記記録媒体に収録されているコンテンツを識別可能なコンテンツコードとを関連付けたコンテンツテーブルを表示するためのコンテンツ表示データを生成する表示データ生成手段と、
前記媒体識別コードおよび前記コンテンツコードに関する送信要求を示す送信要求データを前記通信手段が外部に送信するように制御する送信要求データ送信制御手段と、
前記通信手段により送信された前記送信要求データに対応して、前記通信手段が受信した受信データに基づいて、前記コンテンツ表示データが生成されるように制御する表示データ生成制御手段とを前記第１、第２の情報再生装置のいずれか少なくとも一方が有することを特徴とする情報提示システム。
【請求項１１】
前記読取手段によって読み取られた前記媒体識別コードと前記コンテンツコードとが関連付けて記憶され、かつ前記通信手段によって受信した前記媒体識別コードと前記コンテンツコードとが関連付けて記憶されるようにして、前記コンテンツテーブルを更新するコンテンツテーブル更新手段と、
前記コンテンツテーブルを更新するための更新データの送信要求を示す前記送信要求データを前記第１または第２の情報再生装置から受信したときに、該受信した前記送信要求データに対応する前記更新データを生成する更新データ生成手段と、
該更新データ生成手段によって生成された前記更新データを前記第１または第２の情報再生装置に送信するように制御する更新データ送信制御手段とを有する情報管理サーバを更に有することを特徴とする請求項１０記載の情報提示システム。
【発明の詳細な説明】
【技術分野】
【０００１】
本発明は、リムーバブルメディアを使用可能なＤＶＤプレーヤ、ＤＶＤレコーダ等の情報再生装置およびその情報再生装置を用いた情報提示方法並びに情報再生装置を有する情報提示システムに関する。
【背景技術】
【０００２】
従来から、記録媒体に記録されているデジタルデータを読み取って映像および音声を再生可能な情報再生装置（映像および音声をデジタルデータとして記録可能な情報記録再生装置を含む）がある。この種の装置としては、ＤＶＤ（ｄｉｇｉｔａｌ  ｖｅｒｓａｔｉｌｅ  ｄｉｓｋ）等のリムーバブルメディアを用い、そのリムーバブルメディアに記録されているデジタルデータを読取って映像および音声を再生する再生機能を備えたＤＶＤプレーヤや、再生機能に加えてリムーバブルメディアに対するデジタルデータの記録機能を備えたＤＶＤレコーダが普及している。中でも、ＤＶＤレコーダは、ハードディスクドライブ（Ｈａｒｄ  Ｄｉｓｋ  Ｄｒｉｖｅ、以下「ＨＤＤ」という）を内蔵し、そのＨＤＤにデジタルデータを記録できるようになっていることがある。
【０００３】
この種のＤＶＤレコーダは、例えばテレビ放送の映像および音声のデジタルデータをＨＤＤに記録して録画を行い、ＨＤＤに記録したデジタルデータをＤＶＤに複製する（ダビングを行う）ことにより、コンテンツをＤＶＤに収録するといった手順で利用されている。
【０００４】
ところが、コンテンツを収録したＤＶＤの枚数が増えていくにしたがい、ユーザは、どのＤＶＤにどのようなコンテンツが収録されているのかを的確に把握できなくなることがある。そのため、従来のＤＶＤレコーダやＤＶＤプレーヤといった情報再生装置には、コンテンツを収録した記録媒体の枚数が増えると、希望するコンテンツが再生されるまでにユーザが手間や時間を要してしまうという問題があった。
【０００５】
このような問題に関して、従来例えば、ディスク固有のディスク識別情報を外部から視認可能に設けた光ディスクと、記録再生装置とからなる記録再生システムに関する技術があった（例えば特許文献１参照）。この記録再生システムでは、コンテンツの識別情報および内容情報をディスク識別情報に関連付けて記憶した記憶手段を記録再生装置が備えていた。そのため、この記録再生装置は、ディスク識別情報に基づいてコンテンツの識別情報および内容情報を検索する検索機能を活用して、希望するコンテンツを収録した記録媒体をユーザが探し出せるようになっていた。
【特許文献１】特開２００３−１７３５４１号公報
【特許文献２】特開２０００−６７５６６号公報
【発明の開示】
【発明が解決しようとする課題】
【０００６】
ところで、ユーザが一人でＤＶＤレコーダやＤＶＤプレーヤといった情報再生装置を複数使用するような場合がある。
【０００７】
このような場合、上記の特許文献１に開示されている従来技術では、記録再生装置がコンテンツの識別情報および内容情報をディスク識別情報に関連付けて記憶している。そのため、この記録再生装置は、コンテンツを収録したときと同じ装置が使用されていれば検索機能が生かされ、希望するコンテンツを収録した記録媒体をユーザが探し出すことができる。
【０００８】
しかし、ユーザが、コンテンツを収録したときとは別の装置を使用してコンテンツを再生するといった複数の記録再生装置を跨いで使用すると、再生に用いる装置から必要な情報が取得されなくなるため、検索機能が生かされなくなってしまう。
【０００９】
この点、従来、マシンＩＤ、テープ番号等を含むライブラリ情報を複数の装置間で共有し、ＶＴＲ等の複数の記録再生装置を跨いで使用する場合に対応した技術があった（例えば上記特許文献２参照）。この特許文献２記載の記録再生装置は、ライブラリ情報が転送され、各装置で共有されている状態（すなわち、各装置でライブラリ情報の同期が確保されている状態）であれば、どの装置でも、希望するコンテンツを収録した記録媒体を検索することができる。
【００１０】
しかし、特許文献２記載の記録再生装置は、ライブラリ情報が各装置で共有されるまでの間に、ユーザが希望するコンテンツを収録した記録媒体を探し出そうとしたときに次のような問題を生じる。例えば新規に購入した情報再生装置を使用してすぐにコンテンツを再生しようとすると、その情報再生装置は、ライブラリ情報を有していないため、希望するコンテンツを収録した記録媒体を検索することができない。また、いずれかの装置で記録媒体にコンテンツを収録し、データの書き換えが行われても、収録したコンテンツがライブラリ情報に反映され、各装置で共有されるまでの間は、コンテンツを収録した装置とは別の装置では、そのコンテンツを検索することができなかった。つまり、上記特許文献２記載の従来技術は、情報再生装置を複数使用していても、コンテンツをすぐに検索できる装置が限られ、迅速な再生に適していないという問題があった。
【００１１】
そこで、本発明は上記課題を解決するためになされたもので、複数の装置のいずれを使用してもコンテンツを検索でき、ユーザが収録されているコンテンツを迅速に探し出せるような情報再生装置およびその情報再生装置を用いた情報提示方法並びに情報再生装置を有する情報提示システムを提供することを目的とする。
【課題を解決するための手段】
【００１２】
上記課題を解決するため、本発明は、記録媒体に記録されているデータを読み取る読取手段と、データの送受信を行う通信手段とを備えた情報再生装置であって、記録媒体に固有の媒体識別コードと、記録媒体に収録されているコンテンツを識別可能なコンテンツコードとを関連付けたコンテンツテーブルを表示するためのコンテンツ表示データを生成する表示データ生成手段と、媒体識別コードおよびコンテンツコードに関する送信要求を示す送信要求データを前記通信手段が外部に送信するように制御する送信要求データ送信制御手段と、通信手段により送信された送信要求データに対応して、通信手段が受信した受信データに基づいて、コンテンツ表示データが生成されるように制御する表示データ生成制御手段とを有する情報再生装置を特徴とする。
【００１３】
また、本発明は、記録媒体に記録されているデータを読み取る読取手段と、データの送受信を行う通信手段とを備えた情報再生装置を用いた情報提示方法であって、情報再生装置によって、記録媒体に固有の媒体識別コードと、記録媒体に収録されているコンテンツを識別可能なコンテンツコードとを関連付けたコンテンツテーブルを表示するためのコンテンツ表示データを生成し、媒体識別コードおよびコンテンツコードに関する送信要求を示す送信要求データを通信手段が外部に送信するように制御し、通信手段により送信された送信要求データに対応して、通信手段が受信した受信データに基づいて、コンテンツ表示データが生成されるように制御することを特徴とする情報提示方法を提供する。
【００１４】
さらに、本発明は、記録媒体に記録されているデータを読み取る読取手段と、データの送受信を行う通信手段とを備えた第１、第２の情報再生装置を有する情報提示システムであって、記録媒体に固有の媒体識別コードと、記録媒体に収録されているコンテンツを識別可能なコンテンツコードとを関連付けたコンテンツテーブルを表示するためのコンテンツ表示データを生成する表示データ生成手段と、媒体識別コードおよび前記コンテンツコードに関する送信要求を示す送信要求データを通信手段が外部に送信するように制御する送信要求データ送信制御手段と、通信手段により送信された送信要求データに対応して、通信手段が受信した受信データに基づいて、コンテンツ表示データが生成されるように制御する表示データ生成制御手段とを第１、第２の情報再生装置のいずれか少なくとも一方が有することを特徴とする情報提示システムを提供する。
【発明の効果】
【００１５】
以上詳述したように、本発明によれば、複数の装置のいずれを使用してもコンテンツを検索でき、ユーザが収録されているコンテンツを迅速に探し出せるような情報再生装置およびその情報再生装置を用いた情報提示方法並びに情報再生装置を有する情報提示システムが得られる。
【発明を実施するための最良の形態】
【００１６】
以下、本発明の実施の形態について説明する。なお、同一要素には同一符号を用い、重複する説明は省略する。
【００１７】
（第１の実施の形態）
図１は、本発明の第１の実施の形態に係る情報記録再生装置２００，２２０を備えた情報提示システム１００の構成を示すブロック図である。図１に示すように、情報提示システム１００は、情報記録再生装置２００、情報記録再生装置２２０と、ＰＣ（Ｐｅｒｓｏｎａｌ  Ｃｏｍｐｕｔｅｒ）２４０およびＮＡＳ（Ｎｅｔｗｏｒｋ  Ａｔｔａｃｈｅｄ  Ｓｔｏｒａｇｅ）２５０を有している。情報提示システム１００では、情報記録再生装置２００、２２０と、ＰＣ２４０およびＮＡＳ２５０が、ＨＵＢ２３０（ＨＵＢの代わりにルータ（ｒｏｕｔｅｒ）を用いても良い）および通信回線２３１（通信回線２３１は有線または無線のいずれでもよい）を介して接続されることによって、有線または無線のＬＡＮ（Ｌｏｃａｌ  Ａｒｅａ  Ｎｅｔｗｏｒｋ）を形成している。
【００１８】
情報記録再生装置２００は、リムーバブルメディアとして、ＤＶＤ―Ｒ、ＤＶＤ―ＲＷ、ＤＶＤ−ＲＡＭ等の後述する光ディスク１１０を使用可能である。情報記録再生装置２００は、光ディスク１１０に収録されているコンテンツを再生する再生機能と、コンテンツを光ディスク１１０に収録する録画機能とを有するＤＶＤレコーダである。
【００１９】
この情報記録再生装置２００は、ＭＰＵ（Ｍｉｃｒｏ  Ｐｒｏｃｅｓｓｉｎｇ  Ｕｎｉｔ）２０１と、光ディスクドライブ２０２と、不揮発性記憶装置２０３とを有している。また、情報記録再生装置２００は、揮発性記憶装置２０４と、画像音声信号出力装置２０５と、ネットワークインターフェース（Ｉ／Ｆ）装置２０６とを有している。なお、ＭＰＵ２０１からネットワークＩ／Ｆ装置２０６までの各構成要素はバス２０７によって互いに接続されている。
【００２０】
ＭＰＵ２０１は、不揮発性記憶装置２０３から揮発性記憶装置２０４に読み出された起動プログラムにしたがい起動される。また、ＭＰＵ２０１は、不揮発性記憶装置２０３から揮発性記憶装置２０４に読み出されたプレイヤプログラムにしたがってシステム初期化、システム終了などを制御する一方、後述する再生準備プログラムにしたがい作動して、本発明の特徴とする再生準備処理を実行する。
【００２１】
光ディスクドライブ２０２は、図示しないディスクトレイに載せた光ディスク１１０に記録されているデジタルデータを読み取り、再生信号を出力する本発明における読取手段と、光ディスク１１０にデジタルデータを記録する本発明における記録手段としての機能を有している。
【００２２】
不揮発性記憶装置２０３は、ＨＤＤ（Ｈａｒｄ  Ｄｉｓｋ  Ｄｒｉｖｅ）と、フラッシュメモリ等の不揮発性の半導体メモリによって構成されている。ＨＤＤは、高速回転する磁気ディスクにテレビ放送等の映像および音声をデジタルデータとして記録し、また、記録されているデジタルデータを読み取り、再生信号を出力する。このＨＤＤは、後述するコンテンツテーブル３００と、装置リストテーブル３１０とが格納されるため、本発明におけるコンテンツテーブル記憶手段および装置識別コード記憶手段としての機能を有している。半導体メモリには、ＭＰＵ２０１が実行する起動プログラム、プレイヤプログラム、再生準備プログラムなどのプログラムが記憶されている。揮発性記憶装置２０４は、ＤＲＡＭ等の揮発性の半導体メモリを有している。揮発性記憶装置２０４には、ＭＰＵ２０１が作動する際に用いるデータやプログラムが記憶される。
【００２３】
画像音声信号出力装置２０５は、接続コード２０９によって、画像音声出力装置２０８に接続されている。画像音声信号出力装置２０５は、光ディスクドライブ２０２から出力される再生信号や、不揮発性記憶装置２０３のＨＤＤから出力される再生信号を入力する。また、画像音声信号出力装置２０５は、入力した再生信号にデコード等の処理を行って映像データおよび音声データを生成し、その生成した映像データおよび音声データを接続コード２０９を通じて画像音声出力装置２０８に出力する。
【００２４】
ネットワークＩ／Ｆ装置２０６は、本発明における通信手段であって、通信回線２３１の接続端子を有している。また、ネットワークＩ／Ｆ装置２０６は、ＭＰＵ２０１の制御にしたがい作動して、接続端子に通信回線２３１が接続されているときに、情報記録再生装置２２０、ＰＣ２４０およびＮＡＳ２５０との間でデータの送受信を実行する。
【００２５】
なお、画像音声出力装置２０８は、情報記録再生装置２００により再生された映像を表示する液晶表示装置やＣＲＴ等の表示装置と、再生された音声を出力するスピーカを備えたテレビである。
【００２６】
情報記録再生装置２２０は、ＭＰＵ２２１と、光ディスクドライブ２２２と、不揮発性記憶装置２２３、揮発性記憶装置２２４、画像音声信号出力装置２２５およびネットワークＩ／Ｆ装置２２６を有している。これらのＭＰＵ２２１〜ネットワークＩ／Ｆ装置２２６はバス２２７によって互いに接続されており、それぞれ上記の情報記録再生装置２００を構成するＭＰＵ２０１〜ネットワークＩ／Ｆ装置２０６と同等の構成および機能を有している。
【００２７】
光ディスク１１０は、図２に示すように、ホール１１０ａと、（Ｂｕｒｓｔ  Ｃｕｔｔｉｎｇ  Ａｒｅａ、以下「ＢＣＡ」という）１１１と、記録可能領域１１２とを有している。ＢＣＡ１１１には、光ディスク１１０に固有のディスクＩＤ（媒体識別コード）が記録されている。記録可能領域１１２はデジタルデータを記録することができる。また、記録可能領域１１２には、光ディスク１１０にコンテンツが収録されている場合において、その収録されているコンテンツごとに生成され、コンテンツを一意に示すコンテンツに固有のハッシュ値（コンテンツコード）が記録されている。ハッシュ値は、ＭＰＵ２０１により、所定のハッシュ関数（例えば、ＭＤ５，ＳＨＡ１など）にしたがって生成されている。
【００２８】
コンテンツテーブル３００は、図４に示すように、ディスクＩＤが記憶されるディスクＩＤエリア３００ａと、ハッシュ値が記憶されるハッシュ値エリア３００ｂと、コンテンツの収録日時、タイトル等、光ディスク１１０に収録されているコンテンツを具体的に特定するためのコンテンツ特定データが記憶されるコンテンツ特定データエリア３００ｃとを有している。コンテンツテーブル３００は、光ディスク１１０と、その光ディスク１１０に収録されているコンテンツとの対応関係を記憶するため、ディスクＩＤエリア３００ａのディスクＩＤと、ハッシュ値エリア３００ｂのハッシュ値とが関連付けて記憶されている。そのため、情報記録再生装置２００はこのコンテンツテーブル３００におけるディスクＩＤおよびハッシュ値によって、光ディスク１１０にどのコンテンツが収録されているのかを管理している。なお、ハッシュ値エリア３００ｂに記憶されるハッシュ値は、光ディスク１１０に記録されているハッシュ値に対応している。
【００２９】
装置リストテーブル３１０は、図５に示すように、情報提示システム１００を構成している情報記録再生装置２００，２２０に固有の装置ＩＤ（装置識別コード）が記憶される装置ＩＤエリア３１０ａと、情報記録再生装置２００，２２０のネットワーク（ＬＡＮ）上の宛先を特定するための情報が記憶される宛先エリア３１０ｂとを有している。宛先エリア３１０ｂにはＭＡＣアドレス、ＩＰアドレス、付加設定情報といった情報（宛先情報）が記憶されている。
【００３０】
次に、以上の構成を有する情報提示システム１００の動作について、図７および図８〜図１２に示すフローチャートおよび図１３に示すシーケンスチャートを参照して説明する。以下の説明では、ユーザが情報記録再生装置２００を使用して、光ディスク１１０に収録されているコンテンツの中から再生を希望するコンテンツを探し出す場合を想定している。この場合、情報記録再生装置２００では、再生を希望するコンテンツを迅速にユーザが探し出せるようにするため、後述するコンテンツリスト３１１を画像音声出力装置２０８に表示させる。これにより、ユーザがコンテンツを探し出す上で有益な情報の提示が行われる。コンテンツの再生に先立ち、情報記録再生装置２００がコンテンツリスト３１１を画像音声出力装置２０８に表示させる処理を再生準備処理という。また、以下に示す他の装置とは、情報記録再生装置２２０を想定している。
【００３１】
まず、ユーザは、光ディスク１１０に収録されているコンテンツから、再生を希望するコンテンツを探し出すにあたって、光ディスク１１０をディスクトレイに収納した上で、画像音声出力装置２０８の表示装置を参照しながら図示しないリモコンを操作して再生準備処理を指定する。すると、情報記録再生装置２００では、ＭＰＵ２０１が再生準備プログラムを起動する。再生準備プログラムは図８に示すフローチャートにそって実行される。
【００３２】
再生準備プログラムの実行が開始されると、ＭＰＵ２０１は処理をステップ１に進め、図７に示す再生準備ナビ画面３２０を画像音声出力装置２０８に表示させる。この再生準備ナビ画面３２０は、図7に示すように、即時更新モード、事後更新モードおよび他機優先モードの３つの再生準備モードの中から、希望する再生準備モードをユーザに選択させる画面である。ユーザは、図示しないリモコンを操作しながらカーソルをモード表示部３２０ａ，３２０ｂ，３２０ｃのうちの所望のモード表示部に重ねてリモコン操作を行い、所望の再生準備モードを選択することができる。
【００３３】
ＭＰＵ２０１は、ユーザが選択した再生準備モードをステップ２，４で判定し、ステップ２，４の判定結果に基づいて処理を分岐させる。すなわち、ＭＰＵ２０１はステップ２において、ユーザが即時更新モードを選択したか否かを判定し、即時更新モードが選択されていたときは処理をステップ３に進め、そうでなければ処理をステップ４に進める。また、ＭＰＵ２０１はステップ４において、ユーザが事後更新モードを選択したか否かを判定する。ここで、ＭＰＵ２０１は、事後更新モードが選択されていたときは処理をステップ６に進め、そうでなければ（他機優先モードが選択されていたときは）処理をステップ７に進める。
【００３４】
また、ＭＰＵ２０１は、ステップ３、６、７を実行し後、ステップ５に処理を進め、コンテンツリストの画面表示制御を行い、後述するステップ２４、３４、４７のいずれかで生成されたコンテンツ表示データを用いてコンテンツリスト３１１を画像音声出力装置２０８に表示させる。コンテンツリスト３１１は、図３に示すように、光ディスク１１０ごとに編集されていて、収録されているコンテンツに関する情報（記録した年月日、記録した日時、チャンネル、収録時間、ジャンル、タイトル名、圧縮レート、サイズ）が一覧表示されたものである。したがって、ユーザは、コンテンツリスト３１１を参照することによって、収録されているコンテンツを把握して、再生を希望するコンテンツを探し出すことができる。
【００３５】
ＭＰＵ２０１は、ステップ３に処理を進めたときは即時更新処理を実行する。この即時更新処理は、コンテンツを収録している光ディスク１１０から読み取ったデジタルデータに基づいて、その後すぐにコンテンツテーブル３００が更新され、その上でコンテンツリスト３１１が表示される場合の処理である。
【００３６】
即時更新処理が開始すると、図９に示すように、ＭＰＵ２０１はステップ１１に処理を進める。ステップ１１では、ＭＰＵ２０１の指示にしたがい光ディスクドライブ２０２が作動して光ディスク１１０からディスクＩＤを読み取り、続くステップ１２では、光ディスクドライブ２０２が作動して光ディスク１１０からハッシュ値および収録されているコンテンツのデジタルデータを読み取る。次に、ＭＰＵ２０１はステップ１３に処理を進め、コンテンツテーブル３００にアクセスする。続いて、ＭＰＵ２０１はステップ１４に処理を進め、読み取ったディスクＩＤがコンテンツテーブル３００に有るか否かを判定し、読み取ったディスクＩＤが有るときはステップ１６に処理を進めるが、無いときはステップ１５に処理を進める。そして、ＭＰＵ２０１はステップ１６に処理を進めると、光ディスク１１０のハッシュ値と、コンテンツテーブル３００のハッシュ値とが一致するか否かを判定し、一致するときはステップ２４に処理を進めるが、一致しないときは処理をステップ１５に進める。したがって、光ディスク１１０から読み取ったディスクＩＤおよびハッシュ値がコンテンツテーブル３００に登録されているときは、光ディスク１１０に収録されているコンテンツがコンテンツテーブル３００に反映済みであるため、コンテンツテーブル３００は更新されない。
【００３７】
そして、ＭＰＵ２０１はステップ１５に処理を進めると、判定手段としての動作を行い、コンテンツテーブル３００が更新中か否かを判定する。ＭＰＵ２０１は、更新中と判定されないときはステップ１７に処理を進めるが、更新中であると判定されたときはステップ２１に処理を進める。ＭＰＵ２０１はステップ１７に処理を進めると、光ディスク１１０から光ディスクドライブ２０２によって読み取られたディスクＩＤとハッシュ値とをコンテンツテーブル３００に新規に登録する。このとき、ＭＰＵ２０１はコンテンツテーブル更新手段としての動作を行い、光ディスク１１０から読み取られたディスクＩＤとハッシュ値とが関連付けて記憶されるようにして、コンテンツテーブル３００を更新している（コンテンツ特定データエリア３００ｃも更新されている）。
【００３８】
次に、ＭＰＵ２０１はステップ１８に処理を進め、装置リストテーブル３１０にアクセスする。続いて、ＭＰＵ２０１はステップ１９に処理を進め、装置リストテーブル３１０に別の装置を示す装置ＩＤが有るか否かを判定する。ここで、ＭＰＵ２０１は、別の装置を示す装置ＩＤが有る（装置ＩＤがＨＤＤに記憶されている）と判定したときは、ステップ２０に処理を進めるが、判定しないときはステップ２４に処理を進める。また、ＭＰＵ２０１はステップ２０に処理を進めると、装置リストテーブル３１０の宛先エリア３１０ｂから別の装置の宛先情報を取得する。そして、ＭＰＵ２０１は更新データ生成手段としての動作を行い、ステップ１１，１２で読み取った光ディスク１１０のディスクＩＤとハッシュ値とを含む更新データを生成する。さらにＭＰＵ２０１は更新データ送信制御手段としての動作を行い、生成した更新データをネットワークＩ／Ｆ装置２０６に送信させる（図１３に示すデータ送信Ｓ１が行われる）。ここで、更新データは、ディスクＩＤとハッシュ値とが関連付けて記憶されるようにして、コンテンツテーブルを更新するためのデータである。
【００３９】
ステップ２０でディスクＩＤとハッシュ値とを含む更新データが送信されることによって、情報記録再生装置２００、２２０との間で、コンテンツテーブルに記憶されるデータを共有し、光ディスク１１０とそこに収録されているコンテンツとの対応関係を情報記録再生装置２００と、情報記録再生装置２２０とによって管理できるようになる。なお、ステップ２０の処理を実行する場合、ＭＰＵ２０１はコンテンツテーブル３００にコンテンツ特定データが複数有るか否かを判定し、複数あるときは各コンテンツの記録位置を特定するためのコンテンツ記録位置特定データも送信している。ＭＰＵ２０１はステップ２０を実行すると、ステップ２４に処理を進める。
【００４０】
一方、ＭＰＵ２０１は、ステップ１５からステップ２１に処理を進めると、送信要求データ送信制御手段としての動作を行い、ネットワークＩ／Ｆ装置２０６に指示して、他の装置宛に送信要求データを送信させる（図１３に示すデータ送信Ｓ３が行われる）。ここで送信される送信要求データは、ステップ１１，１２で読み取ったディスクＩＤとハッシュ値とを含む更新データの送信要求を示すデータである。ここでは、情報記録再生装置２００が情報記録再生装置２２０に対して、更新データの送信を要求している。ステップ１１，１２で読み取ったディスクＩＤとハッシュ値とをコンテンツテーブル３００に登録しようとしたときに、コンテンツテーブル３００が更新中ですぐに更新できない場合がある。そのような場合は、情報記録再生装置２２０に送信要求データを送信し、登録しようとするディスクＩＤとハッシュ値を含む更新データを情報記録再生装置２２０から取得することによって、コンテンツテーブル３００が迅速に更新され、コンテンツリスト３１１が迅速に表示されるようになる。この場合、ユーザが光ディスク１１０をディスクトレイから取り出したとしても、他の装置に更新データがあればそれを用いてコンテンツテーブル３００が迅速に更新され、コンテンツリスト３１１が迅速に表示されるようになる。
【００４１】
そして、ＭＰＵ２０１は続くステップ２２に処理を進めると、更新制御手段としての動作を行い、ネットワークＩ／Ｆ装置２０６が更新データを受信するまで待機してそれらを受信すると（図１３に示すデータ受信Ｓ４を行うと）ステップ２３に処理を進める。ＭＰＵ２０１はステップ２３に処理を進めると、コンテンツテーブル更新手段としての動作を行い、ネットワークＩ／Ｆ装置２０６が受信した更新データに基づき、ディスクＩＤとハッシュ値とが関連付けられるようにしてコンテンツテーブル３００を更新する。ＭＰＵ２０１はステップ２３を実行すると、ＭＰＵ２０１は、ステップ２４に処理を進める。なお、ステップ２３は、事前のユーザ指定に基づくタイミングで実行するようにしてもよい。
【００４２】
そして、ＭＰＵ２０１は、ステップ２４に処理を進めると、表示データ生成手段としての動作を行い、コンテンツテーブル３００を参照してコンテンツ表示データを生成する。このコンテンツ表示データはコンテンツテーブル３００をコンテンツリスト３１１のフォームに編集して画像音声出力装置２０８に表示させるためのデータである。ＭＰＵ２０１は、このステップ２４をステップ２０，２３に続いて実行することにより、更新されたコンテンツテーブル３００に基づいて、コンテンツ表示データを生成するように制御しており、表示データ生成制御手段としての機能を有している。ＭＰＵ２０１は、ステップ２４を実行すると、即時更新処理を終了する。
【００４３】
次に、図８に戻り、ＭＰＵ２０１は、ステップ６に処理を進めると事後更新処理を実行する。この事後更新処理は、ユーザがコンテンツを収録した光ディスク１１０を一旦ディスクトレイから取り出し、他の装置から受信した更新データに基づいてすぐにコンテンツリスト３１１が表示され、その後、受信した更新データに基づいてコンテンツテーブル３００が更新されるようにする処理である（コンテンツテーブル３００の更新は後述する送受信チェック処理で行われる）。
【００４４】
事後更新処理が開始すると、図１０に示すように、ＭＰＵ２０１はステップ３１に処理を進める。ステップ３１では、ＭＰＵ２０１がディスクの排出制御を行い、光ディスクドライブ２０２に指示してディスクトレイを開放させる。光ディスク１１０が取り出されると、ＭＰＵ２０１はステップ３２に処理を進め、送信要求データを送信させる。ここでは、情報再生装置２２０のコンテンツテーブルに記憶されているデータを送信するように要求する送信要求データが送信される（図１３に示すデータ送信Ｓ５が行われる）。その後、ＭＰＵ２０１はステップ３３に処理を進め、表示データ生成制御手段としての動作を行い、更新データを受信する（図１３に示すデータ受信Ｓ６が行われる）まで待機する。ＭＰＵ２０１はステップ３４に処理を進めると、表示データ生成手段としての動作を行い、受信した更新データに基づいて、コンテンツ表示データを生成し、その後、事後更新処理を終了する。
【００４５】
更に、図８に戻り、ＭＰＵ２０１はステップ７に処理を進めると、他機優先処理を実行する。この他機優先処理は、情報記録再生装置２００が不揮発性記憶装置２０３に記憶されているコンテンツテーブル３００よりも、他の装置で記憶されているコンテンツテーブルを優先的に使用してコンテンツリスト３１１を表示する場合の処理である。
【００４６】
この他機優先モードは次のような場合を想定したものである。すなわち、例えば、情報記録再生装置２２０は従来からコンテンツの収録および再生に使用していたが、情報記録再生装置２００は新規に購入したばかりでコンテンツテーブル３００が生成されていない場合である。また、情報記録再生装置２００も、従来からコンテンツの収録および再生に使用されていたが、情報記録再生装置２００以外の装置にコンテンツテーブルが記憶されているのであれば、その他の装置のコンテンツテーブルを優先的に使用したほうがよいという場合である。
【００４７】
このような場合に対応するため、情報記録再生装置２００では、即時更新モードや事後更新モードの他に他機優先モードを設けている。この他機優先モードでは、光ディスク１１０から読み取ったディスクＩＤとハッシュ値よりも、他の装置から送信される更新データを優先的に使用して、コンテンツリスト３１１が迅速に表示されるようにしている。
【００４８】
そして、他機優先処理が開始すると、図１１に示すように、ＭＰＵ２０１はステップ４１に処理を進める。ステップ４１では、ＭＰＵ２０１が光ディスクドライブ２０２を作動させて、光ディスク１１０からディスクＩＤとハッシュ値の読み取りを行わせる。次に、ＭＰＵ２０１はステップ４２に処理を進め、送信要求データ送信制御手段としての動作を行い、ネットワークＩ／Ｆ装置２０６に指示して、他の装置宛に確認要求データを送信させる（図１３に示すデータ送信Ｓ７が行われる）。ここで送信される確認要求データは、他の装置に対して、後述する確認結果データの送信を要求する（他の装置に問い合わせる）送信要求データである。
【００４９】
そして、ＭＰＵ２０１はステップ４３に処理を進めると、ネットワークＩ／Ｆ装置２０６によって、後述する確認結果データを受信するまで（図１３に示すデータ受信Ｓ８が行われるまで）待機する。ＭＰＵ２０１は続くステップ４４に処理を進めると、確認要求データに基づくディスクＩＤおよびハッシュ値と、確認結果データに基づくディスクＩＤおよびハッシュ値とが一致するか否かを判定し、一致するときはステップ４７に処理を進めるが、一致しないときはステップ４５に処理を進める。また、ＭＰＵ２０１はステップ４５に処理を進めると、装置ＩＤを変更した上で、後続のステップ４６に処理を進め、確認要求データをすべての装置宛に送信したか否かを判定する。ここで、すべての装置宛に送信したと判定されたとき、ＭＰＵ２０１はステップ４７に処理を進めるが、そうでなければステップ４２に処理を戻す。これにより、ＭＰＵ２０１は確認要求データに基づくディスクＩＤおよびハッシュ値を受信するまで、装置リストテーブル３１０に登録されているすべての装置に対して確認要求データを送信するように制御している。さらに、ＭＰＵ２０１は処理をステップ４７に進めると、コンテンツ表示データ生成手段としての動作を行い、ステップ４３で受信した確認結果データに基づいて、コンテンツ表示データを生成する。
【００５０】
一方、ＭＰＵ２０１は図１１に示す送受信チェック処理を所定時間（例えば１ｍｓ）ごとに実行している。ＭＰＵ２０１は送受信チェック処理を開始するとステップ５１に処理を進め、他の装置から送信要求データを受信したか否かを判定し、受信したときはステップ５２に処理を進め、送信要求データに対応する更新データを生成する。更新データを生成するときは、ＭＰＵ２０１は更新データ生成手段としての動作を行う。この場合、ＭＰＵ２０１は、コンテンツテーブル３００から、送信要求データに対応するデータを読み出して更新データを生成する。また、ＭＰＵ２０１は、更新データ送信制御手段としての動作を行い、生成された更新データをネットワークＩ／Ｆ装置２０６が他の装置に送信するように制御する。
【００５１】
次に、ＭＰＵ２０１はステップ５３に処理を進め、光ディスクドライブ２０２により、光ディスク１１０に対してデジタルデータを記録する記録動作が行われたか否かを判定する。ＭＰＵ２０１は記録動作が行われたときはステップ５４に処理を進めるが、そうでなければステップ５５に処理を進める。ＭＰＵ２０１はステップ５４に処理を進めると、更新データ生成手段としての動作を行い、次のようにして更新データを生成する。
【００５２】
すなわち、ＭＰＵ２０１は、記録動作を行った光ディスク１１０のディスクＩＤと、収録されたコンテンツのハッシュ値とを用いてコンテンツテーブル３００を更新し、そのディスクＩＤとハッシュ値とを含む更新データを生成する。また、ＭＰＵ２０１は、ネットワークＩ／Ｆ装置２０６により、生成した更新データを他の装置宛に送信させる（図１３に示すデータ送信Ｓ２が行われる）。この場合、更新データは１回の送信処理で送信してもよいし、複数回に分けて送信してもよい。
【００５３】
また、ＭＰＵ２０１はステップ５５に処理を進めると、ＭＰＵ２０１はネットワークＩ／Ｆ装置２０６を通じて、上述の確認要求データを受信したか否かを判定する。ＭＰＵ２０１は、確認要求データを受信したと判定したときはステップ５６に処理を進めるが、判定しないときはステップ５７に処理を進める。ＭＰＵ２０１はステップ５６に処理を進めると、コンテンツテーブル３００にアクセスして、受信した確認要求データに対応したディスクＩＤとハッシュ値とがコンテンツテーブル３００に有るか否かを確認し、その確認結果を示す確認結果データをネットワークＩ／Ｆ装置２０６を通じて送信する。なお、受信した確認要求データに対応したディスクＩＤとハッシュ値とがコンテンツテーブル３００に有るときは、そのディスクＩＤとハッシュ値に対応するデータをコンテンツテーブル３００から読み出されて確認結果データが生成される。
【００５４】
また、ＭＰＵ２０１はステップ５７に処理を進めると、ネットワークＩ／Ｆ装置２０６を通じて更新データを受信したか否かを判定する。ここで、ＭＰＵ２０１は更新制御手段としての動作を行い、受信したと判定したときはステップ５８に処理を進めるが、判定しないときは送受信チェック処理を終了する。ＭＰＵ２０１はステップ５８に処理を進めると、ステップ４４と同様にコンテンツテーブル３００が更新中のときは更新が終わるまで待機する。ＭＰＵ２０１は更新が終わるとステップ５９に処理を進め、コンテンツテーブル更新手段としての動作を行う。すなわち、ＭＰＵ２０１はネットワークＩ／Ｆ装置２０６が受信した更新データに基づき、ディスクＩＤとハッシュ値とが関連付けられるようにしてコンテンツテーブル３００を更新する。ＭＰＵ２０１はステップ５９を実行すると、送受信チェック処理を終了する。
【００５５】
これらのステップ５１〜５９のうち、ステップ５１，５２は、他の装置から送信要求データを受信する場合に対応したものである。ＭＰＵ２０１がステップ５１，５２を実行することによって、情報記録再生装置２００，情報記録再生装置２２０との間で、同期を確保しながらコンテンツテーブルを共有し、光ディスク１１０とそこに収録されているコンテンツとの対応関係を情報記録再生装置２００と、情報記録再生装置２２０とによって管理することができる。
【００５６】
また、ステップ５３，５４は次のような意味を有している。すなわち、光ディスクドライブ２０２により、光ディスク１１０に対してデジタルデータの記録動作が行われると、すなわち、光ディスク１１０の書き換えが行われると、その書き換えの対象となった光ディスク１１０のディスクＩＤと、記録されたコンテンツのハッシュ値とに基づく更新データが他の装置に送信される。そのため、情報記録再生装置２２０では、情報記録再生装置２００において光ディスク１１０の書き換えが行われても、書き換え後の内容がコンテンツテーブルに反映される。したがって、情報提示システム１００では、情報記録再生装置２００と情報記録再生装置２２０の双方で同期を確保しながらコンテンツテーブルを共有し、コンテンツリスト３１１を書き換えた後の内容で表示できるようになっている。
【００５７】
更に、ステップ５５，５６は、他の装置から確認要求データを受信する場合に対応したものである。
【００５８】
そして、ステップ５７〜５９の処理は、事後更新処理のステップ３２において送信した送信要求データに対応して、他の装置から送信された更新データに基づいて、コンテンツテーブル３００を更新する場合に対応している。
【００５９】
また、例えば情報記録再生装置２２０により、光ディスクに対するコンテンツの収録が行われ、データの書き換えが行われたものの、その光ディスクのディスクＩＤや、収録されたコンテンツのハッシュ値が、まだ情報記録再生装置２００のコンテンツテーブル３００に登録されていない場合（ディスクＩＤとハッシュ値とが共有されていない場合）もある。さらに、そもそも情報記録再生装置２００が録画機能を有していない再生専用機であった場合には、コンテンツの収録が行われた別の装置でなければディスクＩＤとハッシュ値をコンテンツテーブルに登録することはできないし、コンテンツリストに表示させることもできない。情報記録再生装置２００が新規購入品であればコンテンツテーブルにデータが存在していないから、コンテンツリストを表示させることができない。
【００６０】
このような場合は、ユーザが上述の事後更新モードや他機優先モードを選択すればよい。また、ステップ５７〜５９の処理が定期的に実行されるため、情報記録再生装置２００では、受信した更新データに基づいて、コンテンツリスト３１１が表示された後、コンテンツテーブル３００が更新されるようになっている、これにより、収録されているコンテンツをユーザが迅速に探し出せるようになるばかりでなく、常時コンテンツテーブルの同期を確保しながら共有できるようになる。
【００６１】
以上から明らかなとおり、本実施に形態に係る情報提示システム１００では、情報記録再生装置２００，２２０のいずれを使用してもコンテンツの検索を行うことができ、ユーザが収録されているコンテンツを迅速に探し出すことができる。
【００６２】
（第２の実施の形態）
情報提示システム１００を構成する情報記録再生装置２００，２２０のうち、いずれか一方の電源が投入されていない場合が考えられる。その場合、例えば、情報記録再生装置２２０の電源が投入されていない場合、ユーザが上述の事後更新モードまたは他機優先モードを選択すると、情報記録再生装置２２０から更新データを取得することができないため、コンテンツリスト３１１を最新の内容で表示できない場合が想定される。
【００６３】
このような場合に対応するには、図６に示すようにして情報提示システム１０１を構成することが好ましい。この情報提示システム１０１は、情報提示システム１００と比較して、ＨＵＢ２３０に情報管理サーバ（ホームサーバまたは外部サーバ）２６０が接続され、情報記録再生装置２２０に画像音声出力装置２２８が接続されている点で相違し、他は共通している。
【００６４】
情報管理サーバ２６０は、ＨＤＤやフラッシュメモリ等の不揮発性の半導体メモリによって構成される不揮発性記憶装置を有し、その不揮発性記憶装置にコンテンツテーブル３００と共通する構成を有するコンテンツテーブル２６１と、装置リストテーブル３１０と共通する構成を有する図示しない装置リストテーブルとが設けられている。なお、情報管理サーバ２６０では、上記の不揮発性記憶装置の代わりに揮発性記憶装置が備えられ、その揮発性記憶装置が、常時電源が投入されていることによって、不揮発性記憶装置のように使用されていてもよい。
【００６５】
そして、情報管理サーバ２６０は、上述した送受信チェック処理におけるステップ５１，５２、５５−５９までと同様の処理を実行するようにする。こうすることによって、コンテンツテーブルを最新の状態を情報管理サーバ２６０によって管理することができ、情報記録再生装置２００，２２０および情報管理サーバ２６０により、コンテンツテーブルを共有できるようになる。
【００６６】
さらに、情報管理サーバ２６０が情報提示システム１０１を構成する情報記録再生装置２００，２２０の電源が投入されているか否かを判定する手段を有し、それらの電源が投入された時点でコンテンツテーブル３００と、装置リストテーブル３１０とを最新の状態に更新するための更新データを送信するようにしてもよい。こうすると、コンテンツテーブル３００と、装置リストテーブル３１０とが最新の状態に更新されるようになる。
【００６７】
また、このような情報管理サーバ２６０の機能をＰＣ２４０またはＮＡＳ２５０に設けてもよい。
【００６８】
（変形例）
上記各実施の形態では、ディスクＩＤとハッシュ値を含むコンテンツテーブルを複数の装置で共有することによって、情報提示システム１００，１０１を構成する複数の装置で多重的に管理している。この他、情報提示システム１００，１０１を構成するいずれかの装置（例えばサーバ）だけにコンテンツテーブルを設け、ディスクＩＤとハッシュ値とを一元的に管理してもよい。
【００６９】
情報提示システム１００，１０１では、いずれもＰＣ２４０およびＮＡＳ２５０が情報記録再生装置２００，２２０に接続されている。本発明における情報提示システムは、ＰＣ２４０およびＮＡＳ２５０の双方が情報記録再生装置２００，２２０に接続されていない場合と、いずれか一方だけが接続されている場合とについても適用がある。
【００７０】
ステップ５の処理は、上記のほか、再生準備処理を実行に先立って実行してもよい。また、ステップ５の処理を実行するタイミングは事前に行われたユーザの指定に基づいて変更してもよい。
【００７１】
上記の実施の形態では、読取手段と、記録手段とを兼備している情報記録再生装置２００，２２０を例にとって説明しているが、本発明は、記録手段を有しない情報再生装置についても適用がある。また、情報記録再生装置２００，２２０はＨＤＤを有しているが、本発明は、ＨＤＤを有していない情報再生装置についても適用がある。
さらに、情報記録再生装置２００について、不揮発性記憶装置２０３および揮発性記憶装置２０４をともに不揮発性記憶装置にしてもよいし、揮発性記憶装置にしてもよい（情報記録再生装置２２０の不揮発性記憶装置２２３および揮発性記憶装置２２４についても同様である）。揮発性記憶装置にする場合には、常時電源が投入されていることが好ましい。
【００７２】
上記の実施の形態では、ハッシュ値が収録されているコンテンツを一意に示すコンテンツに固有のデータとして生成されている（生成方法１）。このハッシュ値は収録されているコンテンツを識別可能であればよく、複数のコンテンツ全体に対して１つのハッシュ値が生成されていてもよい（生成方法２）。また、生成方法１、２を組み合わせて、１または２以上のハッシュ値が生成されていてもよい（生成方法３）。
【００７３】
ステップ２０などで情報記録再生装置２００から情報記録再生装置２２０に送信される更新データに、送信要求の許可、不許可を示すデータ（許可フラグデータ）を含め、情報記録再生装置２２０がその許可フラグデータに基づいて、送信要求に応じて更新データを送信するか否かを判定するようにしてもよい。
【図面の簡単な説明】
【００７４】
【図１】本発明の第１の実施の形態に係る情報記録再生装置を備えた情報提示システムの構成を示すブロック図である。
【図２】光ディスクの一例の構成を示す平面図である。
【図３】コンテンツ情報リストの一例を示す図である。
【図４】不揮発性記憶装置に記憶されたコンテンツ情報テーブルの一例を示す図である。
【図５】不揮発性記憶装置に記憶された装置リストテーブルの一例を示す図である。
【図６】本発明の第２の実施の形態に係る情報記録再生装置を備えた情報提示システムの構成を示すブロック図である。
【図７】再生準備ナビ画面の一例を示す図である。
【図８】再生準備処理の動作手順を示すフローチャートである。
【図９】即時更新処理の動作手順を示すフローチャートである。
【図１０】事後更新処理の動作手順を示すフローチャートである。
【図１１】他機優先処理の動作手順を示すフローチャートである。
【図１２】送受信チェック処理の動作手順を示すフローチャートである。
【図１３】情報提示システムを構成する２つの情報記録再生装置で行われるデータ送受信の動作シーケンスを示すシーケンスチャートである。
【符号の説明】
【００７５】
１００，１０１…情報提示システム
１１０…光ディスク、１１１…ＢＣＡ
１１２…記録可能領域
２００，２２０…情報記録再生装置
２０１，２２１…ＭＰＵ
２０２，２２２…光ディスクドライブ
２０３，２２３…不揮発性記憶装置
２０６，２２６…ネットワークＩ／Ｆ装置
２６０…情報管理サーバ
３００…コンテンツテーブル
３１０…装置リストテーブル
３１１…コンテンツリスト
【図１】
2007265556.tif 000003
【図２】
2007265556.tif 000004
【図３】
2007265556.tif 000005
【図４】
2007265556.tif 000006
【図５】
2007265556.tif 000007
【図６】
2007265556.tif 000008
【図７】
2007265556.tif 000009
【図８】
2007265556.tif 000010
【図９】
2007265556.tif 000011
【図１０】
2007265556.tif 000012
【図１１】
2007265556.tif 000013
【図１２】
2007265556.tif 000014
【図１３】
2007265556.tif 000015